(57)【要約】【課題】一対のボタン本体部の双方が表になり、リバーシブルとして使用できるボタン及びボタン留め構造並びに衣服、ズボンを提供する。【解決手段】ボタン１１において、衣服やズボンの一対の前身頃のそれぞれに開口した一対のボタンホールに挿通される軸部１５と、軸部１５の両端に接続され軸部１５の軸線に直交する少なくとも一方向の寸法が軸部１５の直径よりも大きく形成され、両端の少なくとも一方のものがボタンホールに挿通可能となって一対の前身頃を重ね合わせて留める一対のボタン本体部（第１ボタン本体部１９及び第２ボタン本体部２１）と、一対のボタン本体部のそれぞれの本体表出面に形成される異なる装飾部（第１装飾部３１及び第２装飾部３３）と、を設けた。【選択図】  図３
2016221161.tif 000002
【特許請求の範囲】
【請求項１】
衣服やズボンの一対の前身頃のそれぞれに開口した一対のボタンホールに挿通される軸部と、
前記軸部の両端に接続され前記軸部の軸線に直交する少なくとも一方向の寸法が前記軸部の直径よりも大きく形成され、前記両端の少なくとも一方のものが前記ボタンホールに挿通可能となって前記一対の前記前身頃を重ね合わせて留める一対のボタン本体部と、
前記一対のボタン本体部のそれぞれの本体表出面に形成される異なる装飾部と、
を具備することを特徴とするボタン。
【請求項２】
請求項１記載のボタンであって、
前記一対のボタン本体部の前記一方向の寸法が異なることを特徴とするボタン。
【請求項３】
請求項１または請求項２記載のボタンであって、
前記軸部が、筒部と、前記筒部に挿入されて先端が加締められることで前記筒部から抜脱不能となる針部と、からなることを特徴とするボタン。
【請求項４】
請求項３記載のボタンであって、
前記筒部と前記針部とが前記軸線を屈曲させる方向に揺動自在に接続されることを特徴とするボタン。
【請求項５】
請求項４記載のボタンであって、
前記筒部の前記ボタン本体部と反対側となる反対端には内曲げ部が形成され、
前記針部の先端には加締め部が形成され、
前記針部の外周には前記加締め部によって抜け止めされたスリーブが外挿され、
前記スリーブの加締め部側には外曲げ部が形成され、
前記筒部と前記針部とが、前記筒部の内曲げ部を前記スリーブの外曲げ部に係合して揺動自在に抜け止めされることを特徴とするボタン。
【請求項６】
少なくとも一対のボタンホールの設けられた衣服やズボンの一対の前身頃を重ね合わせてボタンで留めるボタン留め構造であって、
前記ボタンは、前記ボタンホールに挿通される軸部と、
前記軸部の両端に接続され前記軸部の軸線に直交する少なくとも一方向の寸法が前記軸部の直径よりも大きく形成され前記両端の少なくとも一方のものが前記ボタンホールに挿通可能となる一対のボタン本体部と、
前記一対のボタン本体部のそれぞれの本体表出面に形成される異なる装飾部と、
を具備することを特徴とするボタン留め構造。
【請求項７】
請求項６記載のボタン留め構造を備えた衣服であって、
衣服の前記一対の前身頃が、それぞれに設けられた前記ボタンホールに挿通される前記ボタンによって重ね合わせてボタン留めされることを特徴とする衣服。
【請求項８】
請求項６記載のボタン留め構造を備えたズボンであって、
ズボンの前記一対の前身頃が、それぞれに設けられた前記ボタンホールに挿通される前記ボタンによって重ね合わせてボタン留めされることを特徴とするズボン。
【発明の詳細な説明】
【技術分野】
【０００１】
本発明は、洋服などに用いられる留め具であるボタン及びボタン留め構造並びに衣服、ズボンに関する。
【背景技術】
【０００２】
洋服など衣服に留め具として使用される服飾物のボタンは、通常、前身頃の左右のいずれか一方に固定され、他方に形成されるボタンホールに貫通して、左右の前見頃同士を留める。ボタンの固定手段は種々あり、糸で縫着されるほかに、カシメにて固定される。
【０００３】
特許文献１に開示されるボタンは、ボタン本体と、生地を挟んでボタン本体とは反対側からボタン本体を生地に固定するプロングとを備える。ボタン本体は、ボタンバックとキャップからなる外殻部材と、外殻部材の内部に収納されたインサートとを有し、少なくともボタンバックがアルミニウム又はアルミニウム合金から作製されてなる。
特許文献２に開示のネオバボタンは、表面部材と、この表面部材と生地との間に位置する首部と、生地を挟んで裏側から首部に対して打ち込まれる固定部材からなり、首部の横断面が非真円、例えば楕円、長方形又は直線状の何れかである。
特許文献３に開示される釦は、中空部を有する釦本体と取付鋲とでかしめ固定される。釦本体は、中央上方に突出する凸部を形成したメタルキャップと、この凸部に整合する隆起部をもったインサート部材と、このインサート部材をメタルキャップとで挟着するフランジ付円筒状の釦基部とから構成され、メタルキャップの表面に装飾体を接着する。
【０００４】
特許文献４に開示のボタンは、ボタン係合部と係合する取付部材係合部を有するボタン本体を備える。ボタン本体は、円柱状の胴部と、胴部より半径方向外側に拡張し、ボタンホールから出し入れされる頭部とを含み、ボタンは、胴部の底面の少なくとも一部を覆うように固着した紫外線硬化樹脂製のパッキン部材を備え、頭部を覆うキャップを含む。
特許文献５に開示の首振り釦は、下端に内カールを形成した脚筒の上端に受皿状座板が形成され、受皿状座板内に当て板を配設しヘッドキャップを被覆した釦本体と、脚筒内に挿入した中心筒の上端に、内カールの内径よりも外方へカールする外カールが、下端には座板が形成されたスリーブと、取付け生地を貫通してスリーブの中心筒内へ打ち込み挿入され、当て板により変形して中心筒と固定される先尖のカシメ脚を具備した取付体とからなり、ヘッドキャップの表面から受皿状座板の下面周縁部にかけて熱可塑性合成樹脂からなる装飾キャップを被冠する。
【０００５】
また、特許文献６に開示のジーンズ用の合成樹脂製ボタンは、合成樹脂製のボタン本体と合成樹脂製のリベットとで構成される。ボタン本体は、中央に円形の開口が形成された頭部と、頭部の裏面に筒状に連設され、開口に連なる同一径の取付け孔が形成された軸部とから成る。軸部の底板部分には、取付け孔より小径の貫通孔が同芯状に形成される。リベットは、頭部と、その裏面中央部から突出する円柱状軸部の先端側を先細り形状に形成したカシメ用の先鋭な突起とから成る。ジーンズの生地に刺し通したリベットの突起をボタン本体における軸部の取付け孔に挿入した状態で、底板部分の貫通孔よりも上方に突出した突起先端部を打撃により押し潰して拡径変形させることにより、取付け孔と貫通孔との間に形成されている環状段差部にカシメ止めして、ボタン本体を生地に取り付ける。
【先行技術文献】
【特許文献】
【０００６】
【特許文献１】特開２００８−３６１３７号公報
【特許文献２】特開２００８−２７２０４０号公報
【特許文献３】実用新案登録第２５０８５４２号公報
【特許文献４】ＷＯ２０１１／１３２２５５号公報
【特許文献５】実開平５−８４２１２号公報
【特許文献６】実用新案登録第３１８９１７４号公報
【発明の概要】
【発明が解決しようとする課題】
【０００７】
しかしながら、ボタンは、ジーンズなど、デニム地で生地が厚く、ウエスト部分に引張力がかかることで、カシメによって強固に固定される場合、容易に交換できない、デザイン性を加味できない、雰囲気を変えられないなどの不満がある。
また、ボタンには、装飾が施されるものもあるが、クリーニングに対応できない。このため、通常、ボタンは、クリーニングや洗濯に耐えられ、劣化、損壊しない素材が選択されている。このため、例えば自然の風合いを活かした木製素材からなるボタンなどは不適とされる。また、ボタン自体に装飾として宝石など高価なものを付加することも不適となる。
一方で、装飾に対応するため、既設のボタンにカバーを覆い取り付けるものもあるが、手間が煩雑となる。
また、袖口に取り付けるボタンにはカフスがあるが、この場合は、装飾としてのみ使用されることから、特に強度の要求されるジーンズなどにおける前身頃の留め構造には用いることができない。
さらに、ジーンズなどに用いられるボタンは、打ちつけによる固定構造すなわちカシメ構造なので、位置決めを行い、打ちつけ固定される際、打ちつけ不良が発生すれば、即座にジーンズとして不良品となる。そして、打ちつけ不良となったボタンは、簡単に取り外せないことで、手間がかかる。
【０００８】
本発明は上記状況に鑑みてなされたもので、その目的は、衣服に対する留め具としてのボタンを衣服とは別途構成させて、留め具と装飾とを兼ね備えさせ、一対のボタン本体部の双方が表になり、リバーシブルとして使用できるボタン及びボタン留め構造並びに衣服、ズボンを提供することにある。
【課題を解決するための手段】
【０００９】
次に、上記の課題を解決するための手段を、実施の形態に対応する図面を参照して説明する。
本発明の請求項１記載のボタン１１は、衣服やズボンの一対の前身頃８７，８９のそれぞれに開口した一対のボタンホール１７に挿通される軸部１５と、
前記軸部１５の両端に接続され前記軸部１５の軸線に直交する少なくとも一方向の寸法が前記軸部１５の直径よりも大きく形成され、前記両端の少なくとも一方側が前記ボタンホール１７に挿通可能となって前記一対の前記前身頃８７，８９を重ね合わせて留める一対のボタン本体部１９，２１と、
前記一対のボタン本体部１９，２１のそれぞれの本体表出面２７，２９に形成される異なる装飾部３１，３３と、
を具備することを特徴とする。
【００１０】
このボタン１１では、軸部１５がボタンホール１７に挿通されて、一対の前身頃８７，８９を重ね合わせて留めた際、一対の本体表出面２７，２９の何れか一方が衣服の表面に表出する。これら本体表出面２７，２９には、それぞれ異なる装飾部３１，３３が形成されている。ボタン本体部１９，２１は、少なくとも一方が、ボタンホール１７に挿通可能となる。ボタン１１は、ボタン本体部１９，２１の一方が一対の前身頃８７，８９のそれぞれのボタンホール１７に衣服の例えば表から挿通されることで、一対の前身頃８７，８９を重ね合わせて留める。同時に、ボタン１１は、衣服の表面に表出した他方のボタン本体部２１の装飾部３３によって衣服を装飾する。また、ボタン１１は、ボタン本体部の一方が、一対の前身頃８７，８９のそれぞれのボタンホール１７に衣服の例えば裏から挿通されることで、一対の前身頃８７，８９を重ね合わせて留める。同時に、ボタン１１は、衣服の表面に表出した一方のボタン本体部１９の装飾部３１によって衣服を異なるデザインで装飾する。
【００１１】
本発明の請求項２記載のボタン５９は、請求項１記載のボタン１１であって、
前記一対のボタン本体部の前記一方向の寸法が異なることを特徴とする。
【００１２】
このボタン５９では、一対のボタン本体部は、一方向の寸法がそれぞれで異なる。例えば、一対のボタン本体部の何れか一方が大径円盤、他方が小径円盤となる。ここで、小径円盤がボタンホール１７に挿通可能であれば、大径円盤は、ボタンホール１７に挿通不能であってもよい。大径円盤は、角盤等の多角形盤であってもよい。これにより、例えばベルトのバックル等を模したデザインを施すことが可能となる。
【００１３】
本発明の請求項３記載のボタン１１は、請求項１または２記載のボタン１１であって、
前記軸部１５が、筒部３５と、前記筒部３５に挿入されて先端が加締められることで前記筒部３５から抜脱不能となる針部３７と、からなることを特徴とする。
【００１４】
このボタン１１では、軸部１５が、筒部３５と、その内方に挿通される針部３７とからなる。針部３７は、先端が加締められることによって、筒部３５からの抜脱が規制される。したがって、軸部１５は、筒部３５に針部３７を挿通した二重構造となり、特に軸線に交差する方向の剪断力に対して高い強度が得られるようになる。
【００１５】
本発明の請求項４記載のボタン９７は、請求項３記載のボタン１１であって、
前記筒部９９と前記針部３７とが前記軸線を屈曲させる方向に揺動自在に接続されることを特徴とする。
【００１６】
このボタン９７では、ボタン本体部の一方を、一対の前身頃の一方のボタンホール１７に挿通した後、他方のボタンホール１７に挿通する際、軸部１０７に対して一方のボタン本体部が揺動するので、他方のボタンホール１７の位置ズレが吸収されやすくなる。また、重ね合わされてボタン９７で留められた一対の前身頃が変位した際に、一対のボタン本体部が相対的に揺動するので、ボタンホール１７への応力集中が緩和される。
【００１７】
本発明の請求項５記載のボタン９７は、請求項４記載のボタン９７であって、
前記筒部９９の前記ボタン本体部と反対側となる反対端には内曲げ部１０１が形成され、
前記針部３７の先端には加締め部３９が形成され、
前記針部３７の外周には前記加締め部３９によって抜け止めされたスリーブ１０３が外挿され、
前記スリーブ１０３の加締め部３９側には外曲げ部１０５が形成され、
前記筒部９９と前記針部３７とが、前記筒部９９の内曲げ部１０１を前記スリーブ１０３の外曲げ部１０５に係合して揺動自在に抜け止めされることを特徴とする。
【００１８】
このボタン９７では、スリーブ１０３の外曲げ部１０５が、筒部９９の内曲げ部１０１に係止することで、針部３７は、筒部９９からの抜けが規制される。ここで、内曲げ部１０１と外曲げ部１０５とは、離間して設けられている。これにより、筒部９９と軸部１０７とは、軸線を屈曲させる方向の揺動が可能となる。また、軸部１０７は、針部３７とスリーブ１０３と筒部９９との三重構造となるので、特に軸線に交差する方向の剪断力に対してより高い強度が得られるようになる。
【００１９】
本発明の請求項６記載のボタン留め構造は、少なくとも一対のボタンホール１７の設けられた衣服やズボンの一対の前身頃を重ね合わせてボタン１１で留めるボタン留め構造であって、
前記ボタン１１は、前記ボタンホール１７に挿通される軸部１５と、
前記軸部１５の両端に接続され前記軸部１５の軸線に直交する少なくとも一方向の寸法が前記軸部１５の直径よりも大きく形成され、前記両端の少なくとも一方のものが前記ボタンホール１７に挿通可能となる一対のボタン本体部１９，２１と、
前記一対のボタン本体部１９，２１のそれぞれの本体表出面２７，２９に形成される異なる装飾部３１，３３と、
を具備することを特徴とする。
【００２０】
このボタン留め構造では、ボタン１１は、一対のボタン本体部１９，２１の少なくとも一方が、ボタンホール１７に挿通可能となる。ボタン１１は、ボタン本体部の一方が一対の前身頃８７，８９のそれぞれのボタンホール１７に衣服の例えば表から挿通されることで、一対の前身頃８７，８９を重ね合わせて留める。同時に、ボタン１１は、衣服の表面に表出した他方のボタン本体部の装飾部によって衣服を装飾する。また、ボタン１１は、ボタン本体部の一方が、一対の前身頃８７，８９のそれぞれのボタンホール１７に衣服の例えば裏から挿通されることで、一対の前身頃８７，８９を重ね合わせて留める。同時に、ボタン１１は、衣服の表面に表出した一方のボタン本体部の装飾部によって衣服を異なるデザインで装飾する。
【００２１】
本発明の請求項７記載の衣服は、請求項６記載のボタン留め構造を備えた衣服であって、
衣服の前記一対の前身頃が、それぞれに設けられた前記ボタンホール１７に挿通される前記ボタン１１によって重ね合わせてボタン留めされることを特徴とする。
【００２２】
この衣服では、例えばリバーシブルの上衣の一対の前身頃に設けられた一対のボタンホール１７が、この一対のボタンホール１７に軸部１５を挿通して両端にボタン本体部１９，２１を有したボタン１１によって留められる。上衣は、表裏が裏返されても、ボタン１１がそのまま使用可能となる。裏返し前のボタン１１のデザインとしたい場合には、ボタン１１のみをボタンホール１７に対して反転して取り付けることも可能となる。すなわち、上衣の表裏とボタン１１の表裏との各デザインの組み合わせを可能とする。
【００２３】
本発明の請求項８記載のズボンは、請求項６記載のボタン留め構造を備えたズボンであって、
ズボン１３の前記一対の前身頃８７，８９が、それぞれに設けられた前記ボタンホール１７に挿通される前記ボタン１１によって重ね合わせてボタン留めされることを特徴とする。
【００２４】
このズボン１３では、ズボン１３の一対の前身頃８７，８９に設けられた一対のボタンホール１７に、ボタン１１の一方のボタン本体部を貫通することで、ズボン１３の前身頃８７，８９が重ね合わせて留められる。ボタン１１は、一対のボタン本体部１９，２１の少なくとも何れか一方がボタンホール１７に挿通可能なので、一対のボタン本体部１９，２１の双方の装飾部３１，３３が、表側に配置可能となる。例えば一方のボタン本体部１９が、バックル形状等でボタンホール１７に挿通不能な大きなデザインの場合、このボタン１１は、他方のボタン本体部２１がズボン１３の裏側から一対のボタンホール１７に挿通される。これにより、ボタン１１は、他方の装飾部３３を表側としてズボン１３を装飾することもできる。
【発明の効果】
【００２５】
本発明に係る請求項１記載のボタンによれば、ボタンは衣服やズボンと別体構成とされ、すなわち、衣服やズボンに対して脱着自在となり、且つ両前身頃に対して留めることが可能となるとともに、一対のボタン本体部の双方を表として留めることができ、それらの両装飾面にデザインを施していることにより、リバーシブルとして使用できる。
【００２６】
本発明に係る請求項２記載のボタンによれば、ボタン本体部の一方がボタンホールに比べて大きく、また厚みがある構造であっても、他方が２つのボタンホールを貫通するので、一方を衣服の表裏何れの側にも取り付けることができ、且つ前身頃同士を留めることができる。すなわち、一対のボタン本体部のいずれか一方がボタンホールを通れば良いので、もう一方の外径や形状が大きくてもボタンホールを大きくする必要がない。
【００２７】
本発明に係る請求項３記載のボタンによれば、筒部と針部とのカシメ構造で軸部を形成するので、構造が強固なものとなり、デニム生地などの厚い生地の衣服などでも取り付けられ、例えばジーンズのウエスト部分に用いてもしっかり留めることができる。特に、軸部の構造として、筒部の外径がカシメ構造を採れる直径で構成されていることから、構造体としての直径が十分に大きく、これによりボタンホールを痛めることがない。
【００２８】
本発明に係る請求項４記載のボタンによれば、揺動自在構造とすることで、取り付けられる衣服側に追従でき、ボタンの取り付けが容易になるとともに、ボタンホールも傷みにくくできる。
【００２９】
本発明に係る請求項５記載のボタンによれば、軸部を揺動自在、且つ高強度に構成できる。
【００３０】
本発明に係る請求項６記載のボタン留め構造によれば、ボタンが衣服とは別体なので、クリーニングや洗濯に影響がなく、衣服側のみの対応でよい。また、ボタンは、衣服から取り外しできるので、宝飾など装飾加工や自由度の高い意匠性を付加することが可能である。さらに、ボタンは、衣服の裏面側に大きく突出するような形状でなければ、カフスのような回転バー構造がなく、平面で構成できるので、一対のボタン本体部の何れを身体側に向けても違和感が発生しない。
【００３１】
本発明に係る請求項７記載の衣服によれば、衣服側に、ボタンホールがあればよく、衣服の意匠性とボタンの意匠性との組み合わせを数多く楽しめる。また、ボタンの選択肢が増え、衣服とは異なるデザインを選んだり、複数であればボタン毎に変えることも可能であり、衣服とは別に任意の好きなボタンを選んだりできる。また、ボタン自体に装飾部があることで、ベルトを組み合わせることが可能な衣服の場合に、ベルトを装着しても良いし、ベルトを装着しなくても装飾性を高くすることができ、衣服としての自在なスタイルを楽しむことが可能である。
【００３２】
本発明に係る請求項８記載のズボンによれば、ベルト無しでバックル形状のボタンが装着できるようになり、特に、ウエストがゴムなどの伸縮性を備えたズボンにベルトを使用せずに好みの装飾を施すことなどもできるようになる。
【図面の簡単な説明】
【００３３】
【図１】本発明の実施形態に係るボタンを使用するジーンズの要部正面図である。
【図２】ボタンによって両前身頃が留められた図１に示すジーンズの要部正面図である。
【図３】（ａ）は図１に示したボタンを一方の装飾部側から見た斜視図、（ｂ）は図１に示したボタンを他方の装飾部側から見た斜視図である。
【図４】図１に示したボタンの軸線に沿う面による断面図である。
【図５】図４に示したボタンの組立前の一部分を切り欠いた分解側面図である。
【図６】（ａ）は一方のボタン本体部が厚肉円盤の変形例に係るボタンの斜視図、（ｂ）は一方のボタン本体部が厚肉縦長矩形状の変形例に係るボタンの斜視図、（ｃ）は一方のボタン本体部が大径円盤形状の変形例に係るボタンの斜視図、（ｄ）は一方のボタン本体部が横長矩形状の変形例に係るボタンの斜視図である。
【図７】（ａ）は予め後側の前身頃に一方のボタン本体部を前に向けてボタンを取り付けるボタン留め方法の模式図、（ｂ）は予め後側の前身頃に他方のボタン本体部を前に向けてボタンを取り付けるボタン留め方法の模式図である。
【図８】（ａ）は予め前側の前身頃に一方のボタン本体部を前に向けてボタンを取り付けるボタン留め方法の模式図、（ｂ）は予め前側の前身頃に他方のボタン本体部を前に向けてボタンを取り付けるボタン留め方法の模式図である。
【図９】（ａ）は両前身頃の各ボタンホールに同時に一方のボタン本体部を前に向けて取り付けるボタン留め方法の模式図、（ｂ）は両前身頃の各ボタンホールに同時に他方のボタン本体部を前に向けて取り付けるボタン留め方法の模式図である。
【図１０】貫通した針部の加締め部が表出する第２実施形態に係るボタンの斜視図である。
【図１１】図１０に示したボタンの軸線に沿う面による断面図である。
【図１２】首振り構造を備える第３実施形態に係るボタンの軸線に沿う面による断面図である。
【図１３】図１２に示したボタンの一方のボタン本体部が揺動した状態を表す動作説明図である。
【発明を実施するための形態】
【００３４】
以下、本発明に係る実施形態を図面を参照して説明する。
図１は本発明の実施形態に係るボタン１１を使用するジーンズ１３の要部正面図、図２はボタン１１によって両前身頃が留められた図１に示すジーンズ１３の要部正面図、図３（ａ）は図１に示したボタン１１を一方の装飾部側から見た斜視図、（ｂ）は図１に示したボタン１１を他方の装飾部側から見た斜視図である。
本実施形態に係るボタン１１は、軸部１５と、一対のボタン本体部１９，２１と、装飾部３１，３３と、を有する。
【００３５】
軸部１５は、衣服やズボンの一対の前身頃８７，８９のそれぞれに開口した一対のボタンホール１７に挿通される。一対の前身頃８７，８９は、重ねた状態で、一方の前身頃８９が前面（表）側となり、他方の前身頃８７が裏側になる。ボタンホール１７は、左右の前身頃８７，８９の重ね部分に形成される。ボタンホール１７は、例えばかがり穴として形成される。なお、ズボンとしては、例えばジーンズ１３が好適となる。以下、本実施形態では、ズボンがジーンズ１３である場合を例に説明する。
【００３６】
一対のボタン本体部は、一方のボタン本体部が例えば第１ボタン本体部１９であり、他方のボタン本体部が例えば第２ボタン本体部２１となる。第１ボタン本体部１９及び第２ボタン本体部２１は、軸部１５の両端に接続され、軸部１５の軸線に直交する少なくとも一方向の寸法が軸部１５の直径よりも大きく形成される。一方向の寸法は、第１ボタン本体部１９及び第２ボタン本体部２１が円盤形状の場合、直径となる。また、一方向の寸法は、第１ボタン本体部１９及び第２ボタン本体部２１が矩形状の場合、長辺の寸法となる。ボタン本体部は、両端の少なくとも一方のものが、ボタンホール１７に挿通可能となって一対の前身頃８７，８９を重ね合わせて留める。
【００３７】
ボタン１１は、軸部１５の両端が、第１ボタン本体部１９及び第２ボタン本体部２１の第１本体背面２３及び第２本体背面２５に接続される。第１ボタン本体部１９及び第２ボタン本体部２１は、第１本体背面２３及び第２本体背面２５を除く部分が、第１本体表出面２７及び第２本体表出面２９となる。一対のボタン本体部のそれぞれの本体表出面（第１本体表出面２７及び第２本体表出面２９）には、異なる装飾部が形成される。すなわち、第１本体表出面２７には、第１装飾部３１が形成される。第２本体表出面２９には、第１装飾部３１とは異なる第２装飾部３３が形成されている。
【００３８】
図４は図１に示したボタン１１の軸線に沿う面による断面図、図５は図４に示したボタン１１の組立前の一部分を切り欠いた分解側面図である。
ボタン１１は、軸部１５が、筒部３５と、針部３７とからなる。筒部３５と針部３７とは、素材として真鍮、アルミニウム、銅、鉄、銅亜鉛合金等の金属を使用することができる。針部３７は、筒部３５に挿入されて先端が加締められて加締め部３９となることで筒部３５から抜脱不能となる。より具体的には、筒部３５は、第１ボタン本体部１９に形成される。第１ボタン本体部１９は、筒部３５の軸線に沿う一端側が円環状の鍔部４１となる。第１ボタン本体部１９は、筒部３５の軸線に沿う他端側が内曲げ部４３となる。内曲げ部４３は、小径の筒状に形成される。鍔部４１には、当て板４５が載置される。鍔部４１に載置された当て板４５は、鍔部４１に加締め固定される第１キャップ４７によって覆われる。この第１キャップ４７の第１本体表出面２７に、第１装飾部３１が形成される。
【００３９】
第２ボタン本体部２１は、円盤状のベース４９の中心から針部３７が突設される。ベース４９は、針部３７と反対側の面が、ベース４９に加締め固定される第２キャップ５１によって覆われる。この第２キャップ５１の第２本体表出面２９に、第２装飾部３３が形成される。第１キャップ４７と第２キャップ５１とは、素材として上記の金属の他、金、プラチナ、ホワイトゴールド、シルバー、チタン、合成樹脂、木材、石材、繊維素材、紙、ガラス等、あるいはこれら素材を組み合わせて使用することができる。第２ボタン本体部２１は、針部３７が筒部３５の内曲げ部４３に挿入され、先端が当て板４５に当接される。その後、針部３７は、第１ボタン本体部１９及び第２ボタン本体部２１が接近方向に押圧され、すなわち加締められることにより、先端が当て板４５からの反力により塑性変形して加締め部３９となる。内曲げ部４３の先端は、縮径開口５３となる。加締め部３９は、この縮径開口５３によって抜け止めされる。
【００４０】
なお、本実施形態では、一対のボタン本体部１９，２１においては、外径が最小１４ｍｍ程度で構成される。ボタン本体部１９，２１は、この外径１４ｍｍ以下であると、衣服やズボンの留め具としての機能を果さず、すなわちボタン本体部１９，２１を１４ｍｍ程度以上とすることでボタンホール１７から容易に脱落しない外径として設定される。また、一対のボタン本体部１９，２１を接続する軸部１５の外径は、少なくとも６ｍｍ程度で設定される。この外径により軸部１５を構成する筒部３５と針部３７とは確実に加締められる構造となり、且つ衣服のボタンホール１７を痛めることのないものとなる。なお、ボタンホール１７の長さとしては、（ボタン本体部の直径）＋（ボタン本体部の厚み）の値が好ましい長さとなるが、ボタン本体部の外形状や衣服の生地の厚みや素材などにより適宜設定され、本実施形態では、衣服をジーンズとした場合に、ボタンホール１７の長さとしてボタン本体部の外径＋２．５ｍｍ程度に設定される。
【００４１】
ボタン１１を用いたボタン留め構造は、少なくとも一対のボタンホール１７の設けられた衣服やジーンズ１３の一対の前身頃８７，８９を重ね合わせてボタン１１で留める。
【００４２】
ボタン留め構造では、ボタン１１は、一対のボタン本体部１９，２１の少なくとも一方が、ボタンホール１７に挿通可能となる。ボタン１１は、ボタン本体部の一方が一対の前身頃８７，８９のそれぞれのボタンホール１７に衣服の例えば表から挿通されることで、一対の前身頃８７，８９を重ね合わせて留める。同時に、ボタン１１は、衣服の表面に表出した他方のボタン本体部の装飾部によって衣服を装飾する。また、ボタン１１は、ボタン本体部の一方が、一対の前身頃８７，８９のそれぞれのボタンホール１７に衣服の例えば裏から挿通されることで、一対の前身頃８７，８９を重ね合わせて留める。同時に、ボタン１１は、衣服の表面に表出した一方のボタン本体部の装飾部によって衣服を異なるデザインで装飾する。
【００４３】
ボタン１１は、例えば衣服の上衣に使用することができる。ボタン１１を用いた上衣は、ボタン留め構造を有することになる。すなわち、ボタン留め構造を備えた上衣は、一対の前身頃が、それぞれに設けられたボタンホール１７に挿通されるボタン１１によって重ね合わせてボタン留めされる。
【００４４】
この衣服では、例えばリバーシブルの上衣の一対の前身頃に設けられた一対のボタンホール１７が、この一対のボタンホール１７に軸部１５を挿通して両端にボタン本体部を有したボタン１１によって留められる。上衣は、表裏が裏返されても、ボタン１１がそのまま使用可能となる。裏返し前のボタン１１のデザインとしたい場合には、ボタン１１のみをボタンホール１７に対して反転して取り付けることも可能となる。すなわち、上衣の表裏とボタン１１の表裏装飾部、ボタン１１が複数であれば各ボタン１１毎の表裏装飾部との各デザインの組み合わせを自由に選択することが可能となる。
【００４５】
また、ボタン１１は、図１に示すように、ジーンズ１３に使用することができる。ボタン留め構造を備えたジーンズ１３は、図２に示すように、ジーンズ１３の一対の前身頃８７，８９が、それぞれに設けられたボタンホール１７に挿通されるボタン１１によって重ね合わせてボタン留めされる。
【００４６】
図６（ａ）は一方のボタン本体部が厚肉円盤の変形例に係るボタン５５の斜視図、（ｂ）は一方のボタン本体部が厚肉縦長矩形状の変形例に係るボタン５７の斜視図、（ｃ）は一方のボタン本体部が大径円盤形状の変形例に係るボタン５９の斜視図、（ｄ）は一方のボタン本体部が横長矩形状の変形例に係るボタン６１の斜視図である。
ボタン１１は、第１ボタン本体部１９及び第２ボタン本体部２１の何れもが、任意の形状、任意の装飾部で形成することができる。その一例として図６に一方のボタン本体部である第１ボタン本体部１９の他のデザイン例を示す。
【００４７】
図６（ａ）に示すように、ボタン５５の第１ボタン本体部６３は、第１本体表出面６５に第１装飾部６７の形成された厚肉円盤に形成することができる。図６（ｂ）に示すように、ボタン５７の第１ボタン本体部６９は、第１本体表出面７１に第１装飾部７３の形成された厚肉縦長矩形状に形成することができる。図６（ｃ）に示すように、ボタン５９の第１ボタン本体部７５は、第１本体表出面７７に第１装飾部７９の形成された大径円盤形状に形成することができる。この場合、一対のボタン本体部の一方向の寸法（直径）が異なる。また、図６（ｄ）に示すように、ボタン６１の第１ボタン本体部８１は、第１本体表出面８３に第１装飾部８５の形成された横長矩形状に形成することができる。
【００４８】
このように、ボタン１１は、一方の装飾部と他方の装飾部との色を異ならせ、見た目を変えることができ、また、デザインを変えることができる。この場合、いずれか一方を、大径にしたり、厚いものにしたり、立体的な構造としたり、或いは宝飾素材で飾ったりすることができる。また、装飾部は、デコレーション、プリント、などで飾ってもよい。このような構成とすることで、一方のボタン本体部がボタンホール１７を通過できなくなった場合でも、他方側を通過可能とし、他方側のボタン本体部２１を２つのボタンホール１７に同時に通すことでボタン留めが可能となる。
なお、一対のボタン本体部のそれぞれの大きさを異なることとして構成する場合に、上記した第１ボタン本体部６３，６９，７５，８１は、その大きさ、すなわち直径や厚みに上限値として限定は無く、任意の形状で且つデザインの自由度の高いものとされ、第２ボタン本体部２１については、上述した直径、すなわち外径が最小１４ｍｍ程度、好ましくは１７〜１９ｍｍとされる。また、軸部１５については、上述した例では直径を６ｍｍ程度としたが、下限値として５ｍｍ程度、上限値としては（第２ボタン本体部の半径）−３ｍｍ程度とし、好ましくは６〜８ｍｍとされ構成される。これら数値範囲とすることで、ボタンとしての機能を損なわず、衣服のボタン留めとして最適なものとなる。
【００４９】
次に、ボタン１１の使用方法を説明する。
図７（ａ）は予め後側の前身頃８７に一方のボタン本体部を前に向けてボタン１１を取り付けるボタン留め方法の模式図、（ｂ）は予め後側の前身頃８７に他方のボタン本体部を前に向けてボタン１１を取り付けるボタン留め方法の模式図である。
図７（ａ）に示すように、ボタン１１は、予め後側の前身頃８７のボタンホール１７に、第１ボタン本体部１９を前に向けて取り付けておく。ボタン留めする際には、前側の前身頃８９のボタンホール１７に、第１ボタン本体部１９を掛け留めする。これにより、第１本体部１９の第１装飾部３１が表出される。
図７（ｂ）に示すように、予め後側の前身頃８７のボタンホール１７には、第２ボタン本体部２１を前に向けて取り付けておいてもよい。この場合、ボタン留めする際には、前側の前身頃８９のボタンホール１７に、第２ボタン本体部２１を掛け留めする。これにより、第２本体部２１の第２装飾部３３が表出される。
【００５０】
図８（ａ）は予め前側の前身頃８９に一方のボタン本体部を前に向けてボタン１１を取り付けるボタン留め方法の模式図、（ｂ）は予め前側の前身頃８９に他方のボタン本体部を前に向けてボタン１１を取り付けるボタン留め方法の模式図である。
図８（ａ）に示すように、ボタン１１は、予め前側の前身頃８９のボタンホール１７に、第１ボタン本体部１９を前に向けて取り付けておく。ボタン留めする際には、後側の前身頃８７のボタンホール１７に、第２ボタン本体部２１を掛け留めする。これにより、第１本体部１９の第１装飾部３１が表出される。
図８（ｂ）に示すように、予め前側の前身頃８９のボタンホール１７には、第２ボタン本体部２１を前に向けて取り付けておいてもよい。この場合、ボタン留めする際には、後側の前身頃８７のボタンホール１７に、第１ボタン本体部１９を掛け留めする。これにより、第２本体部２１の第２装飾部３３が表出される。
これら図７、図８に示すように、一方の前身頃に対してボタン１１は脱着自在とされるとともに、この一方の前身頃に予めボタン１１を取り付けた状態とすることができ、このボタン１１に他方の前身頃を留めることで、両前身頃をボタン留めできる。
【００５１】
図９（ａ）は両前身頃の各ボタンホール１７に同時に一方のボタン本体部を前に向けて取り付けるボタン留め方法の模式図、（ｂ）は両前身頃の各ボタンホール１７に同時に他方のボタン本体部を前に向けて取り付けるボタン留め方法の模式図である。
図９（ａ）に示すように、第１ボタン本体部７５の大径のボタン５９は、第１ボタン本体部７５を表側とする場合、前側の前身頃８９のボタンホール１７から、後側の前身頃８７のボタンホール１７へ、第２ボタン本体部２１を一度に通して掛け留めする。
図９（ｂ）に示すように、第１ボタン本体部７５の大径のボタン５９は、第２ボタン本体部２１を表側とする場合、後側の前身頃８７のボタンホール１７から、前側の前身頃８９のボタンホール１７へ、第２ボタン本体部２１を一度に通して掛け留めする。
このように、図９（ａ）（ｂ）に示すボタン５９は、ボタンホール１７から取り外されている別体のものを、ボタン留めの際に例えばポケット等から取り出して、使用することにより、両前身頃をボタン留めできる。
【００５２】
次に、上記した構成の作用を説明する。
本実施形態に係るボタン１１では、軸部１５の両端に、一対のボタン本体部（第１ボタン本体部１９）が接続される。ボタン本体部は、軸線に直交する少なくとも一方向の寸法が、軸部１５の直径よりも大きく形成される。第１ボタン本体部１９は、例えば軸部１５よりも大径の円盤状に形成される。ボタン本体部は、軸部１５を挟む本体背面の反対側の面が、本体表出面となる。したがって、ボタン１１は、軸部１５がボタンホール１７に挿通されて、一対の前身頃を重ね合わせて留めた際、一対の本体表出面２７，２９の何れか一方が衣服の表面に表出する。
【００５３】
これら本体表出面２７，２９には、それぞれ異なる装飾部が形成されている。ボタン本体部は、少なくとも一方が、ボタンホール１７に挿通可能となる。ボタン１１は、ボタン本体部の一方が一対の前身頃のそれぞれのボタンホール１７に衣服の例えば表から挿通されることで、一対の前身頃を重ね合わせて留める。同時に、ボタン１１は、衣服の表面に表出した他方のボタン本体部（第２ボタン本体部２１）の装飾部によって衣服を装飾する。また、ボタン１１は、ボタン本体部の一方が、一対の前身頃のそれぞれのボタンホール１７に衣服の例えば裏から挿通されることで、一対の前身頃を重ね合わせて留める。同時に、ボタン１１は、衣服の表面に表出した一方のボタン本体部の装飾部によって衣服を異なるデザインで装飾する。
【００５４】
また、一対のボタン本体部は、一方向の寸法が異なるものであってもよい。例えば、図６（ｃ）に示したボタン５９のように、一対のボタン本体部の何れか一方（第１ボタン本体部７５）が大径円盤、他方（第２ボタン本体部２１）が小径円盤となる。ここで、小径円盤がボタンホール１７に挿通可能であれば、大径円盤は、ボタンホール１７に挿通不能であってもよい。大径円盤は、図６（ｂ）や図６（ｄ）に示した角盤等の多角形盤であってもよい。これにより、例えばベルトのバックル等を模したデザインを施すことも可能となる。その結果、ボタン本体部の一方がボタンホール１７に比べて大きく、また厚みがある意匠性のある構造であっても、他方が２つのボタンホール１７を貫通するので、一方を衣服の表裏何れの側にも取り付けでき、且つ前身頃同士を留めることができる。すなわち、一対のボタン本体部のいずれか一方となる上記他方（第２ボタン本体部２１）がボタンホール１７を通れば良いので、もう一方である上記一方（第１ボタン本体部７５）の外径や形状が大きくてもボタンホール１７を大きく形成する必要がない。
【００５５】
また、ボタン１１は、軸部１５が、筒部３５と、その内方に挿通される針部３７とからなる。針部３７は、先端が加締められることによって、筒部３５からの抜脱が規制される。したがって、軸部１５は、筒部３５に針部３７を挿通した二重構造となり、特に軸線に交差する方向の剪断力に対して高い強度が得られるようになる。その結果、筒部３５と針部３７とのカシメ構造で軸部１５を形成するので、構造が強固なものとなり、デニム生地などの厚い生地の衣服などでも取り付けられ、例えばジーンズ１３のウエスト部分に用いても一対の前身頃をしっかり留めることができる。また、軸部１５の構造として、筒部３５の外径がカシメ構造を採れる直径で構成されていることから、構造体としての直径が約６．５ｍｍと十分に大きく、これによりボタンホール１７を痛めることがない。
【００５６】
本実施形態に係るジーンズ１３では、ジーンズ１３の一対の前身頃８７，８９に設けられた一対のボタンホール１７に、ボタン１１の一方のボタン本体部（第１ボタン本体部１９）を貫通することで、ジーンズ１３の両前身頃が重ね合わせて留められる。ボタン１１は、一対のボタン本体部の少なくとも何れか一方がボタンホール１７に挿通可能なので、一対のボタン本体部の双方の装飾部が、表側に配置可能となる。例えば一方のボタン本体部（図６（ｂ）に示す第１ボタン本体部６９）が、バックル形状等でボタンホール１７に挿通不能な場合、このボタン５７は、他方のボタン本体部（第２ボタン本体部２１）がジーンズ１３の裏側から一対のボタンホール１７に挿通される。これにより、ボタン５７は、他方の装飾部（第２装飾部３３）を表側としてジーンズ１３を装飾することもできる。
【００５７】
次に、本発明に係るボタン第２実施形態を説明する。
図１０は貫通した針部３７の加締め部３９が表出する第２実施形態に係るボタン９１の斜視図、図１１は図１０に示したボタン９１の軸線に沿う面による断面図である。なお、図４、図５に示した部材、部位と同一の部材、部位には同一の符号を付し重複する説明は省略する。
第２実施形態に係るボタン９１は、第１キャップ９３が中央穴９５を有する円環状に形成される。第１キャップ９３は、中央穴９５からポンチ等を当てることにより、針部３７の先端を押圧して加締め部３９を加工することができる。
このボタン９１によれば、加締め部３９が露出する中央穴９５を、デザインとして活かすことができる。また、中央穴９５が設けられることで、加締め部３９の加締め状態の把握を容易とすることができる。なお、中央穴９５は、加締め加工の後に覆ってしまう、例えば樹脂封入や、キャップ状部材を嵌め込むなどとしてもよい。
【００５８】
次に、本発明に係るボタン第３実施形態を説明する。
図１２は首振り構造を備える第３実施形態に係るボタン９７の軸線に沿う面による断面図、図１３は図１２に示したボタン９７の一方のボタン本体部が揺動した状態を表す動作説明図である。
第３実施形態に係るボタン９７は、筒部９９と針部３７とが軸線を屈曲させる方向に揺動自在に接続される。
【００５９】
すなわち、ボタン９７は、筒部９９のボタン本体部と反対側となる反対端には内曲げ部１０１が形成される。針部３７の先端には加締め部３９が形成される。針部３７の外周には加締め部３９によって抜け止めされたスリーブ１０３が外挿される。スリーブ１０３の加締め部３９側にはカール状の外曲げ部１０５が形成される。このボタン９７は、筒部９９と針部３７とが、筒部９９の内曲げ部１０１をスリーブ１０３の外曲げ部１０５に係合して揺動自在に抜け止めされる。
【００６０】
このボタン９７では、ボタン本体部の一方を、一対の前身頃の一方のボタンホール１７に挿通した後、他方のボタンホール１７に挿通する際、軸部１０７に対して一方のボタン本体部が揺動するので、他方のボタンホール１７の位置ズレが吸収されやすくなる。また、重ね合わされてボタン９７で留められた一対の前身頃が変位した際に、一対のボタン本体部が相対的に揺動するので、ボタンホール１７への応力集中が緩和される。その結果、揺動自在構造とすることで、取り付けられる衣服側に追従でき、ボタン９７の取り付けが容易になるとともに、ボタンホール１７も傷みにくくできる。
【００６１】
また、このボタン９７では、内曲げ部１０１が、筒部９９の端部を内方へ折り返して曲げた小径の内筒形状となる。この内曲げ部１０１の内側には、スリーブ１０３が挿通される。スリーブ１０３の内側には、さらに、針部３７が挿通される。針部３７は、先端が加締め部３９となってスリーブ１０３の抜けを規制する。スリーブ１０３は、加締め部側にカール状の外曲げ部１０５が形成される。このスリーブ１０３の外曲げ部１０５が、筒部９９の内曲げ部４３に係止することで、針部３７は、筒部９９からの抜けが規制される。つまり、針部３７は、内曲げ部４３と外曲げ部１０５とによって筒部９９からの抜けが規制されたスリーブ１０３によって、筒部９９からの抜けが規制される。ここで、内曲げ部４３と外曲げ部１０５とは、離間して設けられている。これにより、筒部９９と軸部１０７とは、軸線を屈曲させる方向の揺動が可能となる。
【００６２】
また、このボタン９７は、軸部１０７が、針部３７とスリーブ１０３と筒部９９との三重構造となる。これに加え、筒部９９には内曲げ部１０１、スリーブ１０３には外曲げ部１０５が形成される。これにより、ボタン９７は、特に軸線に交差する方向の剪断力に対してより高い強度が得られるようになる。その結果、ボタン９７は、軸部１０７を揺動自在、且つ高強度に構成できる。
【００６３】
したがって、本実施形態に係るボタン１１によれば、一対のボタン本体部１９，２１の双方が表になり、それらの両面にデザインを施していることにより、リバーシブルとして使用できる。
【００６４】
本実施形態に係るボタン留め構造によれば、ボタン１１が衣服とは別体なので、クリーニングや洗濯に影響がなく、衣服側のみの対応でよい。また、ボタン１１は、衣服から取り外しできるので、宝飾など装飾加工が可能である。さらに、ボタン１１は、衣服の裏面側に大きく突出するような形状でなければ、カフスのような回転バーがなく、平面で構成できるので、一対のボタン本体部の何れを身体側に向けても違和感が発生しない。
【００６５】
本実施形態に係る衣服によれば、衣服側に、ボタンホール１７があればよく、衣服の意匠性とボタン１１の意匠性との組み合わせを数多く楽しめる。また、ボタン１１の選択肢が増え、衣服とは異なるデザインを選んだり、衣服とは別に任意の好きなボタン１１を選んだりできる。
【００６６】
本実施形態に係るジーンズ１３によれば、ベルト無しでバックル形状のボタン１１が装着できるようになり、特に、ウエストがゴムなどの伸縮性を備えたジーンズ１３にベルトを使用せずに好みの装飾を施すことができるようになる。
【符号の説明】
【００６７】
１１…ボタン
１３…ズボン（ジーンズ）
１５…軸部
１７…ボタンホール
１９…ボタン本体部（第１ボタン本体部）
２１…ボタン本体部（第２ボタン本体部）
２７…本体表出面（第１本体表出面）
２９…本体表出面（第２本体表出面）
３１…装飾部（第１装飾部）
３３…装飾部（第２装飾部）
３５…筒部
３７…針部
３９…加締め部
４３…内曲げ部
８７…前身頃（後側の前身頃）
８９…前身頃（前側の前身頃）
９９…筒部
１０１…内曲げ部
１０３…スリーブ
１０５…外曲げ部
１０７…軸部
【図１】
2016221161.tif 000003
【図２】
2016221161.tif 000004
【図３】
2016221161.tif 000005
【図４】
2016221161.tif 000006
【図５】
2016221161.tif 000007
【図６】
2016221161.tif 000008
【図７】
2016221161.tif 000009
【図８】
2016221161.tif 000010
【図９】
2016221161.tif 000011
【図１０】
2016221161.tif 000012
【図１１】
2016221161.tif 000013
【図１２】
2016221161.tif 000014
【図１３】
2016221161.tif 000015